(57)【要約】【課題】機械的強度の確保と軽量化の両立が可能な光ディスク装置を提供することを目的とする。【解決手段】本発明の光ディスク装置は、少なくとも、筐体２と、筐体２に収納または引き出し自在に設けられたトレイ３と、筐体２とトレイ３を係合するイジェクトロック機構を備え、前記イジェクトロック機構のソレノイド１２に設けられた可動片１３は他部材との接続部１３ａを有し、接続部１３ａは少なくとも一つの弾性部材１９を有していることを特徴とする。【選択図】図６
2006085800.tif 000002
【特許請求の範囲】
【請求項１】
少なくとも、筐体と、前記筐体に収納または引き出し自在に設けられたトレイと、前記筐体と前記トレイを係合するイジェクトロック機構を備え、前記イジェクトロック機構のソレノイドに設けられた可動片は他部材との接続部を有し、前記接続部は少なくとも一つの弾性部材を有していることを特徴とする光ディスク装置。
【請求項２】
前記イジェクトロック機構は、ソレノイド、可動片、リセットアーム、リリースアーム、ロックアーム、イジェクトスプリング、ロックシャフトで構成され、前記可動片は前記ソレノイドの中へ挿入されており、前記リリースアームは前記可動片に設けられた接続部と前記イジェクトスプリングとに接続しており、前記リリースアームが回動することにより、前記ロックアームを回動させ前記ロックシャフトとの係合を解除することを特徴とする請求項１記載の光ディスク装置。
【請求項３】
前記弾性部材は、前記イジェクトスプリングと対向する前記接続部の内壁面の中央付近に設けられることを特徴とする請求項１、２いずれか１項に記載の光ディスク装置。
【請求項４】
前記弾性部材は、少なくとも一部が前記接続部に埋め込まれていることを特徴とする請求項１〜３のいずれか１項に記載の光ディスク装置。
【請求項５】
前記弾性部材は、略方形柱形状であることを特徴とする請求項１〜４のいずれか１項に記載の光ディスク装置。
【請求項６】
前記接続部は、略楕円形状の貫通孔であることを特徴とする請求項１〜５のいずれか１項に記載の光ディスク装置。
【請求項７】
前記可動片の可動方向に対して垂直かつ前記筐体の主平面部に対して平行方向の長さであって、前記弾性部材の長さは、前記接続部の長さの４０％以上８０％以下であることを特徴とする請求項１〜６のいずれか１項に記載の光ディスク装置。
【発明の詳細な説明】
【技術分野】
【０００１】
本発明は、光ピックアップにより光ディスクに対して情報の記録又は再生の少なくとも一方を行なう光ディスク装置に関するものである。
【背景技術】
【０００２】
光ディスク装置は、ＣＤ−ＲＯＭ／Ｒ／ＲＷ、ＤＶＤ−ＲＯＭ／ＲＡＭ／Ｒ／ＲＷなどがすでに実用化されており、各方面への応用と高性能化への開発が活発に行われている。特に最近では、パーソナルコンピュータの急速な市場拡大に伴い、光ディスク装置のパーソナルコンピュータへの内蔵普及率も高くなっている。電子機器に搭載される光ディスクの装着方法としては筐体よりトレイが引き出され、このトレイにディスクを取り付け、再び筐体に戻して装着する方式（以下トレイ方式と称する）が一般的である。以下、従来のトレイ方式光ディスク装置の構成について、図７を参照して説明する。
【０００３】
図７は従来の光ディスク装置の外観斜視図である。図７において、１は光ディスク装置、２は筐体、２ａは上部筐体部、２ｂは下部筐体部、３はトレイ、４は光ピックアップモジュール、５はレール、６はレール保持部、７はスピンドルモータ、７ａはディスク装着部、８は金属製カバー、８ａは開口、９はキャリッジ、１０はベゼル、１１はイジェクトボタン、２０は光ピックアップである。
【０００４】
図７は従来の光ディスク装置の外観斜視図であり、光ディスク装置１は、筐体２と、筐体２に出没自在に保持されたトレイ３を有している。筐体２は、金属製の上部筐体部２ａ、下部筐体部２ｂを組み合わせて袋状であり、筐体２の開口からトレイ３が出没する構成となっている。トレイ３には、裏面から光ピックアップモジュール４が取り付けられている。トレイ３の両側部には移動自在にレール５が設けられ、このレール５は、トレイ３に一体に設けられたレール保持部６に保持されている。なお、図７では、一方の側部にのみレール５が設けられているが、他方の側面部に同様のレールが設けられていてもよい。上部筐体部２ａと下部筐体部２ｂとは図示していない係止手段と螺旋などを用いて、互いに強固に固定されている。
【０００５】
光ピックアップモジュール４は、光ディスクを回転駆動させるスピンドルモータ７と、スピンドルモータ７から外周にかけて開口８ａを設けた金属製カバー８と、開口８ａから一部が露出したキャリッジ９を少なくとも有している。キャリッジ９は、光ピックアップモジュール４に設けられた複数の案内シャフトに移動自在に保持されており、しかも図示していないフィードモータによって、スピンドルモータ７に近づいたり、離れたりするように移動できる。
【０００６】
１０はトレイ３の前面に設けられたベゼルで、ベゼル１０は筐体２の開口を塞ぐ程度の大きさで構成されている。キャリッジ９には、高出力のレーザーダイオード等の光源，各種光学部材及び光ディスク上に光スポットを構成する対物レンズなどが搭載されている。筐体２の奥部には固定して設けられた回路基板があり、回路基板には信号処理系のＩＣや電源回路などが搭載されている。トレイ３に設けられた図示していない回路基板同士を電気的に接続するフレキシブルなプリント基板は、略Ｕ字型に形成され、外部コネクタはコンピュータ等の電子機器に設けられた電源／信号ラインと接続される。そして、この外部コネクタを介して光ディスク装置内に電力を供給したり、あるいは外部からの信号を光ディスク装置内に導いたり、あるいは光ディスク装置で生成された電気信号を電子機器などに送出する。トレイ３の前端面に設けられたベゼル１０にはイジェクトボタン１１が設けられており、このイジェクトボタン１１を押すことで、筐体２に設けられた係合部とトレ
イ３に設けられた係合部との係合を解除し、トレイ３は筐体２から光ディスクが着脱できるよう引き出すことができる。
【０００７】
図８は、従来のイジェクトロック機構部を示した平面図であり、図７に示す光ディスク装置１のイジェクトボタン１１の裏面方向に配置されている。１２はソレノイド、１３は可動片、１４はリセットアーム、１５はリリースアーム、１６はロックアーム、１７はイジェクトスプリング、１８はロックシャフトである。図８はロックアーム１６がロックシャフト１８に係止した状態を示しており、このとき、トレイ３は閉じた状態となっている。また、イジェクトボタン１１を押すことにより可動片１３とソレノイド１２の吸着が解除されると、リリースアーム１５が回動し、リリースアーム１５はロックアーム１６との接触部を介してロックアーム１６を回動させ、これによりロックアーム１６がロックシャフト１８から離れるとロックが解除されて、トレイ３が開いた状態となる。
【０００８】
光ディスク装置は、近年のパーソナルコンピュータの小型化に伴って、小型で軽量なものが求められている。特に、ノートブック型パーソナルコンピュータに搭載される内蔵型光ディスク装置や外付け用の光ディスク装置においては、持ち運びが便利なように機械的強度に優れ、重量が軽いものへの要求が高い。機械的強度と軽量化の関係は相反するものであり、機械的強度を追求すると軽量化に支障をきたし、軽量化を追及すると機械的強度に支障をきたすのが一般的である。
【０００９】
先行例としては、（特許文献１）等がある。
【特許文献１】特開平９−１０６６４０号公報
【発明の開示】
【発明が解決しようとする課題】
【００１０】
光ディスク装置の小型軽量化を進めるに当たり、それらを構成する部品の小型軽量化が不可欠である。トレイの開閉機構の駆動源に用いられるソレノイドもその一つであり、最近は小型で吸着力が大きいラッチ型ソレノイドが一般的に使用されている。これにより、トレイの開閉機構の機械的強度と軽量化の両立をある程度果たすことが可能となった。
【００１１】
図９に従来のラッチ型ソレノイドの平面図を示す。図９（ａ）は、ソレノイド１２のリセット状態であり、図７に示すトレイ３が筐体２に収納された状態である。また、図９（ｂ）は、ソレノイド１２の非リセット状態であり、図７に示すトレイ３が筐体２から引き出すことが可能になった状態である。図９において、１２はソレノイド、１２ａはヨーク１２ａはマグネット、１２ｃはボビン、１２ｄはコイル、１２ｅは端子、１３は可動片である。ラッチ型ソレノイドは、ヨーク１２ａ、マグネット１２ｂ、ボビン１２ｃ、コイル１２ｄで構成され、可動片１３、イジェクトスプリング１７と共に用いる。ソレノイド１２のリセット状態とは可動片１３とソレノイド１２が吸着した状態つまり可動片１３とヨーク１２ａが吸着した状態であり、ソレノイド１２の非リセット状態とは可動片１３とソレノイド１２が離れた状態つまり可動片１３とヨーク１２ａが離れた状態である。
【００１２】
このラッチ型ソレノイド１２は、その動作部である可動片１３がヨーク１２ａから離脱する動作の後（非リセット状態）、初期位置（リセット状態）に自己復帰が出来ないため、この可動片１３を初期位置（リセット状態）に戻す動作が必要となる。そのため、一般的には、図８に示したリセットアーム１４やリリースアーム１５の回動を利用して、使用者がトレイ３を筐体２に収納する動作によって、可動片１３が初期位置（リセット状態）に戻るように復帰動作させる。
【００１３】
以下、可動片１３の復帰動作について図１０、図１１、図１２を用いて説明する。
【００１４】
図１０は、従来のトレイが筐体に収納される時のイジェクトロック機構部の復帰動作を示す図であり、図１０（ａ）はソレノイド１２の可動片１３がリセット状態に復帰を開始する状態を示した図であり、図１０（ｂ）はソレノイド１２の可動片１３がリセット状態に復帰する途中の状態を示した図、図１１（ａ）はソレノイド１２の可動片１３がリセット状態になった状態を示した図、図１１（ｂ）はソレノイド１２の可動片１３がリセット状態にすることができなかった状態を示した図である。また、図１２は、従来の可動片の接続部とリリースアームを示す図であり、図１２（ａ）はソレノイド１２における可動片１３とヨーク１２ａが吸着したにもかかわらずリリースアーム１５が更に移動した場合を示す図で、図１２（ｂ）はリリースアーム１５の反動がソレノイド１２の可動片１３に衝撃を与える様子を示す図である。図１０、図１１、図１２において、１２はソレノイド、１２ａはヨーク１２ａはマグネット、１２ｃはボビン、１２ｄはコイル、１２ｅは端子、１３は可動片、１３ａは接続部、１４はリセットアーム、１５はリリースアーム、１６はロックアーム、１７はイジェクトスプリング、１８はロックシャフトである。
【００１５】
図１０（ａ）に示すように、使用者によりベゼル１０を介してトレイ３が筐体２に収納されるとき、ロックシャフト１８がリセットアーム１４に接触し、リセットアーム１４は回動する。次に、図１０（ｂ）に示すように、リセットアーム１４の回転運動はリリースアーム１５へ伝達され、リリースアーム１５は可動片１３をヨーク１２ａの方へ近づけ接触させ、可動片１３はマグネット１２ｂの磁力によりヨーク１２ａと吸着する。ここで、可動片１３とヨーク１２ａが吸着した状態が図１１（ａ）である。
【００１６】
図１１（ａ）の状態において、吸着完了後もさらにリリースアーム１５の動作がオーバーストロークを起こした場合、つまり図１２（ａ）に示すように可動片１３とヨーク１２ａが吸着したにもかかわらず、リリースアーム１５が更に移動した場合は、図１２（ｂ）に示すようにリリースアーム１５に設けられたイジェクトスプリング１７の引張り荷重により発生するリリースアーム１５の反動が、可動片１３の接続部１３ａの先端部分に衝撃荷重として付加される。一般的に、可動片１３の復帰動作時の衝撃荷重に対して、ソレノイド１２のヨーク１２ａとマグネット１２ｂの吸着力は十分に大きいため、簡単には可動片１３が外れることは無いが、使用者がトレイ３を筐体２に挿入する際にベゼル１０の右側端面のみを必要以上に強く押したり、すばやく押したりした場合などに発生する通常より大きな衝撃荷重や、衝撃荷重が可動片１３の接続部１３ａの中で片側に大きくずれた位置に付加された場合には、図１１（ｂ）に示すように、一旦吸着されたヨーク１２ａとマグネット１２ｂの吸着状態が外れ、ロックアーム１６は、ロックシャフト１８との係合が解除され、トレイ３が筐体２に収納した状態を維持することができなくなる。
【００１７】
本発明は、上記課題を解決するものであり、トレイと筐体を係合するイジェクトロック機構の外れ防止に対する信頼性を高めた光ディスク装置を提供することを目的とする。
【課題を解決するための手段】
【００１８】
本発明は、上記課題を解決するためになされたものであって、少なくとも、筐体と、前記筐体に収納または引き出し自在に設けられたトレイと、前記筐体と前記トレイを係合するイジェクトロック機構を備え、前記イジェクトロック機構のソレノイドに設けられた可動片は他部材との接続部を有し、前記接続部は少なくとも一つの弾性部材が設けられたことを特徴とする光ディスク装置である。
【発明の効果】
【００１９】
本発明は上記構成により、イジェクトロック機構のソレノイドに設けられた可動片の接続部に弾性部材を設けることによって、使用者がトレイを筐体に挿入する際にベゼルの右側端面のみを必要以上に強く押したり、すばやく押したりした場合などに発生する衝撃荷重が通常より大きな場合に起因して移動するリリースアームのソレノイド接続部への荷重
を吸収軽減することができるため、トレイと筐体を係合するイジェクトロック機構の外れ防止に役立つ。
【００２０】
このことにより、トレイと筐体を係合するイジェクトロック機構の外れ防止に対する信頼性を高めた光ディスク装置を実現することができる。
【発明を実施するための最良の形態】
【００２１】
請求項１記載の発明は、少なくとも、筐体と、前記筐体に収納または引き出し自在に設けられたトレイと、前記筐体と前記トレイを係合するイジェクトロック機構を備え、前記イジェクトロック機構のソレノイドに設けられた可動片は他部材との接続部を有し、前記接続部は少なくとも一つの弾性部材を有していることを特徴とするものである。イジェクトロック機構のソレノイドに設けられた可動片の接続部が少なくとも一つの弾性部材を有していることによって、トレイを筐体に挿入する際などに発生する衝撃荷重に起因して移動するリリースアームのソレノイド接続部への荷重を弾性部材により吸収軽減することができるため、トレイと筐体を係合するイジェクトロック機構の外れ防止に対する信頼性を高めた光ディスク装置を実現することができる。
【００２２】
請求項２記載の発明は、前記イジェクトロック機構が、ソレノイド、可動片、リセットアーム、リリースアーム、ロックアーム、イジェクトスプリング、ロックシャフトで構成され、前記可動片は前記ソレノイドの中へ挿入されており、前記リリースアームは前記可動片に設けられた接続部と前記イジェクトスプリングとに接続しており、前記リリースアームが回動することにより、前記ロックアームを回動させ前記ロックシャフトとの係合を解除することを特徴とするものである。可動片がソレノイドの中へ挿入されており、リリースアームが可動片に設けられた接続部とイジェクトスプリングとに接続しており、リリースアームが回動することにより、ロックアームを回動させ、ロックシャフトとの係合を解除することによって、トレイと筐体を係合するイジェクトロック機構の構成を容易にすることができる。
【００２３】
請求項３記載の発明は、前記弾性部材が、前記イジェクトスプリングと対向する前記接続部の内側壁面の中央付近に設けられることを特徴とするものである。弾性部材がイジェクトスプリングと対向する接続部の内側壁面の中央付近に設けられることによって、トレイを筐体に挿入する際などに発生する衝撃荷重が通常より大きな場合でも、衝撃荷重に起因して移動するリリースアームのソレノイド接続部への荷重を安定して、しかも効率的に可動片の接続部の長径方向の中心付近でバランスよく受けることができるため、衝撃荷重に起因して移動するリリースアームのソレノイド接続部への荷重に対する設計的な制御が容易となり、トレイと筐体を係合するイジェクトロック機構の外れ防止に対する信頼性を高めた光ディスク装置を実現することができる。
【００２４】
請求項４記載の発明は、前記弾性部材の少なくとも一部が前記接続部に埋め込まれていることを特徴とするものである。弾性部材の少なくとも一部が接続部に埋め込まれていることによって、弾性部材と接続部の結合を強めることができるため、衝撃荷重に起因して移動するリリースアームのソレノイド接続部への荷重を弾性部材により効果的に吸収軽減することができるため、トレイと筐体を係合するイジェクトロック機構の外れ防止に対する信頼性を高めた光ディスク装置を実現することができる。
【００２５】
請求項５記載の発明は、前記弾性部材が、略方形柱形状であることを特徴とするものである。弾性部材が略方形柱状であることによって、弾性部材と接続部の結合を容易に強めることができるため、衝撃荷重に起因して移動するリリースアームのソレノイド接続部への荷重を弾性部材により効果的に吸収軽減することができるため、トレイと筐体を係合するイジェクトロック機構の外れ防止に対する信頼性を高めた光ディスク装置を実現するこ
とができる。
【００２６】
請求項６記載の発明は、前記接続部が、略楕円形状の貫通孔であることを特徴とするものである。接続部が略楕円状の貫通孔であることによって、接続部の形状を容易に形成することができ、強度も十分確保することができるため、トレイと筐体を係合するイジェクトロック機構の外れ防止に対する信頼性を高めた光ディスク装置を実現することができる。
【００２７】
請求項７記載の発明は、前記可動片の可動方向に対して垂直かつ前記筐体の主平面部に対して平行方向の長さであって、前記弾性部材の長さは、前記接続部の長さの４０％以上８０％以下であることを特徴とするものである。可動片の可動方向に対して垂直かつ筐体の主平面部に対して平行方向の長さにおける弾性部材の長さが接続部の長さの４０％以上８０％以下であることによって、トレイを筐体に挿入する際などに発生する衝撃荷重が通常より大きな場合でも、衝撃荷重に起因して移動するリリースアームのソレノイド接続部への荷重を安定して、しかも効率的に可動片の接続部の長径方向の中心付近でバランスよく受けることができる確率が飛躍的に向上するため、衝撃荷重に起因して移動するリリースアームのソレノイドの接続部への荷重に対する設計的な制御が容易となり、トレイと筐体を係合するイジェクトロック機構の外れ防止に対する信頼性を高めた光ディスク装置を実現することができる。
【００２８】
（実施の形態１）
以下、本発明の実施の形態１について、図面を参照しながら説明する。
【００２９】
図１は、本発明の一実施の形態における光ディスク装置の外観斜視図である。図１において、１は光ディスク装置、２は筐体、２ａは上部筐体部、２ｂは下部筐体部、３はトレイ、４は光ピックアップモジュール、５はレール、６はレール保持部、７はスピンドルモータ、７ａはディスク装着部、８は金属製カバー、８ａは開口、９はキャリッジ、１０はベゼル、１１はイジェクトボタン、２０は光ピックアップである。
【００３０】
図２は、本発明の一実施の形態におけるイジェクトロック機構部を示した平面図であり、イジェクトロック機構は図１に示す光ディスク装置１のイジェクトボタン１１の裏面方向に配置されている。図２において、１２はソレノイド、１３は可動片、１４はリセットアーム、１５はリリースアーム、１６はロックアーム、１７はイジェクトスプリング、１８はロックシャフトである。
【００３１】
図１において、筐体２は上部筐体部２ａと下部筐体部２ｂを組み合わせて袋状に構成されている。上部筐体部２ａと下部筐体部２ｂとは好ましくは螺旋などを用いて、互いに強固に固定されている。筐体２の構成材料としては鉄，鉄合金，アルミニウム，アルミニウム合金、マグネシウム合金等の金属材料や樹脂材料によって構成される。また、上部筐体部２ａ及び下部筐体部２ｂはそれぞれ同種の材料で構成しても良いし、異種の材料で構成しても良い。また、上部筐体部２ａ及び下部筐体部２ｂそれぞれの主平面部の平均肉厚は０．４ｍｍ〜１．６ｍｍの間であり、この平均肉厚の比較的薄い場合には上部筐体部２ａ及び下部筐体部２ｂは金属材料で構成され、例えば、金属板をプレス加工などによって形成される。また、平均肉厚の比較的厚い場合には上部筐体部２ａ及び下部筐体部２ｂは樹脂材料やダイカスト（アルミニウム合金やマグネシウム合金など）で構成される。筐体２を樹脂材料で構成した場合には、光ディスク装置１の軽量化を実現できる。３は筐体２に出没自在に設けられたトレイで、このトレイ３は樹脂製のフレームで構成され、光ピックアップモジュール４が設けられている。光ピックアップモジュール（ＰＵＭ）４には光学系を構成した光ピックアップ２０とディスクを回転させるスピンドルモータ７及び制御回路（図示せず）で構成されている。光ピックアップ２０は、光ディスクに光を照射するこ
とで、光ディスクに情報を書き込むかあるいは情報を読み出す動作の少なくとも一方を行なう。スピンドルモータ７にはディスク装着部７ａがあり、ディスクを装着し回転駆動させる。トレイ３の両側部にはレール保持部６があり、両側部共にレール５とディスク引き出し方向に摺動自在に嵌合している。また、レール５は筐体２両側部内面に設けられたレールガイドともディスク引き出し方向に摺動自在に嵌合しており、トレイ３は筐体２からディスクが着脱できるよう引き出すことが出来る。
【００３２】
筐体２の奥部には固定して設けられた制御基板があり、制御基板には信号処理系のＩＣや電源回路などが搭載されている。トレイ３に設けられた図示していない制御基板同士を電気的に接続するフレキシブルなプリント基板は、略Ｕ字型に形成され、外部コネクタはコンピュータ等の電子機器に設けられた電源／信号ラインと接続される。そして、この外部コネクタを介して光ディスク装置１内に電力を供給したり、或いは外部からの電気信号を光ディスク装置１内に導いたり、あるいは光ディスク装置１で生成された電気信号を電子機器などに送出する。トレイ３の前端面に設けられたベゼル１０にはイジェクトボタン１１が設けられており、このイジェクトボタン１１を押すことで、筐体２に設けられた係合部（図示せず）とトレイ３に設けられた係合部（図示せず）との係合を解除する。
【００３３】
トレイ３の前端面に設けられたベゼル１０にはイジェクトボタン１１が設けられており、このイジェクトボタン１１を押すことで、図２に示す筐体２に設けられたイジェクトロック用シャフト１８とトレイ３に設けられたロックアーム１６との係合を解除する。
【００３４】
次に、イジェクトロック機構の詳細について図２を用いて説明する。
【００３５】
図２は、ロックアーム１６がロックシャフト１８に係止した状態を示しており、このときトレイ３は閉じた状態となっている。また、イジェクトボタン１１を押すことにより可動片１３がイジェクトスプリング１７のばね力によりソレノイド１２から離脱し、リリースアーム１５が回動し、リリースアーム１５はロックアーム１６との接触部を介してロックアーム１６を回動させ、これによりロックアーム１６がロックシャフト１８から離れるとロックが解除されて、トレイ３が引き出すことが可能になった状態となる。
【００３６】
次に、イジェクトロック機構に設けられているラッチ型ソレノイドについて、図３を用いて説明する。
【００３７】
図３は本発明の実施の形態１におけるイジェクトロック機構のラッチ型ソレノイドの外観平面図を示す。図３（ａ）は、ソレノイド１２のリセット状態であり、図１に示すトレイ３が筐体２に収納された状態である。また、図３（ｂ）は、ソレノイド１２の非リセット状態であり、図１に示すトレイ３が筐体２から引き出すことが可能になった状態である。図３において、１２はソレノイド、１２ａはヨーク１２ａはマグネット、１２ｃはボビン、１２ｄはコイル、１２ｅは端子、１３は可動片、１３ａは接触部、１３ｂは突起である。
【００３８】
ラッチ型ソレノイドはヨーク１２ａ、マグネット１２ｂ、ボビン１２ｃ、コイル１２ｄで構成され、可動片１３、イジェクトスプリング１７と共に用いるのが一般的である。リセット状態においては、マグネット１２ｂから発生する磁力によりヨーク１２ａと可動片１３が吸着しており、使用者によりイジェクトボタン１１が押されるとイジェクトロック機構の端子１２ｅに電圧がかかり、ボビン１２ｃに巻線されたコイル１２ｄに電流が流れ、マグネット１２ｂから発生する磁力と相反する方向へ磁力が発生し、イジェクトスプリング１７の引張り荷重と合成され、可動片１３がヨーク１２ａから離脱し非リセット状態つまりトレイ３が筐体２から引き出し可能な状態に移行する。一度、非リセット状態になるとイジェクトロック機構の端子１２ｅに電圧をかけるのをやめても、マグネット１２ｂ
から発生する磁力だけでは可動片１３をヨーク１２ａまで引き寄せることができない。そのため、非リセット状態からリセット状態への移行は使用者がトレイ３を筐体２に収納する動作により行なわれる。
【００３９】
以下、本発明の実施の形態１の特徴部分について説明する。
【００４０】
図４は、本発明の実施の形態１におけるイジェクトロック機構のソレノイドに設けられた可動片を示す図であり、可動片の接続部に突起を設けたものである。図４において、１３は可動片、１３ａは接続部、１３ｂは突起、１３ｃは壁面である。ソレノイド１２の可動片１３は５×１０×２ｍｍ程度の略Ｕ字型の形状をしており、イジェクトスプリング１７が配置されている側の可動片１３の端面にリリースアーム１５などの別部材との接続部１３ａを有している。接続部１３ａは、２ｍｍ×１．５ｍｍ程度の長孔の貫通孔である。
【００４１】
ここで、イジェクトロック機構のソレノイド１２に設けられた可動片１３の接続部１３ａに少なくとも一つの突起１３ｂを設ける。
【００４２】
本実施の形態では、図４に示すように、突起１３ｂをイジェクトスプリング１７と対向する接続部１３ａの内側の壁面１３ｃの中央付近に設け、突起１３ｂと接続部１３ａを一体型で構成した。こうすることにより、トレイ３を筐体２に挿入する際などに発生する衝撃荷重に起因して移動するリリースアーム１５のソレノイド１２の接続部１３ａに対する荷重をほぼ一点で受けることができ、また、リリースアーム１５のソレノイド１２の接続部１３ａへの荷重を安定して、しかも効率的に可動片１３の接続部１３ａの長径方向の中心付近でバランスよく受けることができ、さらに突起１３ｂと接続部１３ａの構成を容易に形成することができ強度も十分確保することができるため、衝撃荷重に起因して移動するリリースアーム１５のソレノイド１２の接続部１３ａへの荷重に対する設計的な制御が容易となる。
【００４３】
また、本実施の形態では、突起１３ｂの形状は略球体形状のものとし、突起１３ｂが設けられる接続部１３ａは略楕円形状の貫通孔とした。こうすることにより、トレイ３を筐体２に挿入する際などに発生する衝撃荷重に起因して移動するリリースアーム１５のソレノイド１２の接続部１３ａへの荷重が突起１３ｂに対して斜め方向から加わっても荷重を安定して、しかも効率的に受けることができ、接続部１３ａの形状を容易に形成することができ強度も十分確保することができる。
【００４４】
さらに、本実施の形態では、可動片１３の可動方向に対して垂直かつ筐体２の主平面部に対して平行方向の長さであって、突起１３ｂの長さが、接続部１３ａの長さの４０％以上６０％以下であるものとした。突起１３ｂの長さとは図４に示すＢ寸法であり、接続部１３ａの長さとは図４に示すＣ寸法である。本実施の形態の場合は、Ｂ寸法を約１．０ｍｍとし、Ｃ寸法を約２．０ｍｍとした。こうすることにより、トレイ３を筐体２に挿入する際などに発生する衝撃荷重に起因して移動するリリースアーム１５のソレノイド１２の接続部１３ａに対する荷重をほぼ一点で受けることができる確率が飛躍的に向上するため、衝撃荷重に起因して移動するリリースアーム１５のソレノイド１２の接続部１３ａに対する荷重の設計的な制御が容易となる。
【００４５】
ここで、従来の光ディスク装置がリリースアーム１５に設けられたイジェクトスプリング１７の引張り荷重により発生するリリースアーム１５の反動である衝撃荷重により可動片１３とヨーク１２ａの吸着状態が解除され、ロックアーム１６とロックシャフト１８のロック状態が外れる場合のメカニズムについて図１０〜図１３を用いて説明する。
【００４６】
図１０は、従来のトレイが筐体に収納される時のイジェクトロック機構部の復帰動作を
示す図であり、図１０（ａ）はソレノイド１２の可動片１３がリセット状態に復帰を開始する状態を示した図であり、図１０（ｂ）はソレノイド１２の可動片１３がリセット状態に復帰する途中の状態を示した図、図１１（ａ）はソレノイド１２の可動片１３がリセット状態になった状態を示した図、図１１（ｂ）はソレノイド１２の可動片１３がリセット状態にすることができなかった状態を示した図である。また、図１２は、従来の可動片の接続部とリリースアームを示す図であり、図１２（ａ）はソレノイド１２における可動片１３とヨーク１２ａが吸着したにもかかわらずリリースアーム１５が更に移動した場合を示す図で、図１２（ｂ）はリリースアーム１５の反動がソレノイド１２の可動片１３に衝撃を与える様子を示す図である。図１３は、従来のイジェクトロック機構のソレノイドに設けられた可動片を示す図である。図１０〜図１３において、１２ａはヨーク１２ａはマグネット、１２ｃはボビン、１２ｄはコイル、１２ｅは端子、１３は可動片、１３ａは接続部、１３ｃは壁面、１４はリセットアーム、１５はリリースアーム、１６はロックアーム、１７はイジェクトスプリング、１８はロックシャフトである。
【００４７】
図１０、図１１において、トレイ３を筐体２に収納する動作を行う場合、トレイ３と筐体２とにクリアランスが１ｍｍ程度あるために、リセットアーム１４の回転中心とロックシャフト１８の中心間距離、すなわちＡ寸法がトレイ３の収納条件によって所定の寸法から大きくなったり小さくなったりする。Ａ寸法が大きくなった条件、すなわちリセットアーム１４がロックシャフト１８から離れる条件でトレイ３を収納する場合は、リセットアーム１４の回転角度が少なくなり、ヨーク１２ａと可動片１３の吸着完了後のオーバーストロークに対して最も良い条件となるが、Ａ寸法が小さくなった条件、すなわちリセットアーム１４がロックシャフト１８に近づく条件でトレイ３を収納する場合は、リセットアーム１４の回転角度が大きくなり、ヨーク１２ａと可動片１３の吸着完了後のオーバーストロークに対しては最も悪い条件となる。この最も悪い条件で発生した図１２（ａ）に示すオーバーストロークで、通常より大きな荷重がかかった場合、イジェクトスプリング１７の引張り荷重により発生するリリースアーム１５の反動が最大となり、図１２（ｂ）に示す可動片１３の接続部１３ａの先端部分に最大衝撃荷重として付加される。この場合、衝撃荷重により可動片１３とヨーク１２ａの吸着状態が解除され、ロックアーム１６とロックシャフト１８のロック状態が外れる場合がある。
【００４８】
また、同様に、最も悪い条件で生じたオーバーストロークにより発生したイジェクトスプリング１７の引張り荷重の反動とその反動が図１３に示したように可動片１３の接続部１３ａの中で片側に大きくずれた位置に付加された場合、イジェクトスプリング１７の引張り荷重により発生するリリースアーム１５の反動が最大となり、ソレノイド１２が最大の吸着力を発揮する可動片１３の接続部１３ａ中央部から変位した部分に最大衝撃荷重として付加される。この場合も、衝撃荷重により可動片１３とヨーク１２ａの吸着状態が解除され、ロックアーム１６とロックシャフト１８のロック状態が外れる場合がある。
【００４９】
ところが、図４に示す本発明の実施の形態１では、ソレノイド１２の可動片１３の接続部１３ａに突起１３ｂを設けたことによって、トレイ３を筐体２に挿入する際などに発生する衝撃荷重に起因して移動するリリースアーム１５のソレノイド１２の接続部１３ａへの荷重を突起１３ｂのほぼ一点で受けることができ、また、突起１３ｂをイジェクトスプリング１７と対向する内側の壁面１３ｃの中央付近に設けることによって、可動片１３の接続部１３ａの中で片側に大きくずれた位置に付加されることが無くなる。そのため、衝撃荷重に起因して移動するリリースアーム１５のソレノイド１２の接続部１３ａへの荷重に対する設計的な荷重の制御が容易となり、トレイと筐体を係合するロック機構の外れ防止に対する信頼性を高めた光ディスク装置を実現することができる。
【００５０】
本実施の形態では、突起１３ｂをイジェクトスプリング１７と対向する接続部１３ａの内側の壁面１３ｃの中央付近に設け、突起１３ｂと接続部１３ａを一体型で構成したが、
突起１３ｂの設けられる場所は接続部１３ａのイジェクトスプリング１７と対向する接続部１３ａの内側の壁面１３ｃの中央付近に限定されるものでは無く、また、突起１３ｂと接続部１３ａが一体型に限定されるものでは無い。トレイ３を筐体２に挿入する際などに発生する衝撃荷重に起因して移動するリリースアーム１５のソレノイド１２の接続部１３ａへの荷重を安定して、しかも効率的に可動片１３の接続部１３ａの長径方向の中心付近でバランスよく受けとめ、さらに突起１３ｂと接続部１３ａの構成を容易に形成し、強度も十分に確保しようと思えば、突起１３ｂをイジェクトスプリング１７と対向する接続部１３ａの内側の壁面１３ｃの中央付近に設け、突起１３ｂと接続部１３ａを一体型で構成するのが好ましい。
【００５１】
また、本実施の形態では、突起１３ｂの形状は１．２ｍｍ程度の略球体形状とし、突起１３ｂが設けられる接続部１３ａは略楕円形状の貫通孔としたが、突起の形状は１．２ｍｍ程度の略球体形状に限定されるものでは無く、また、突起１３ｂが設けられる接続部１３ａは略楕円形状の貫通孔に限定されるものではない。トレイ３を筐体２に挿入する際などに発生する衝撃荷重に起因して移動するリリースアーム１５のソレノイド１２の接続部１３ａへの荷重が突起１３ｂに対して斜め方向から加わっても荷重を安定して、しかも効率的に受けることができ、接続部１３ａの形状を容易に形成し、強度も十分に確保しようと思えば、突起１３ｂの形状は１．２ｍｍ程度の略球体形状とし、突起１３ｂが設けられる接続部１３ａは略楕円形状の貫通孔とするのが好ましい。
【００５２】
さらに、本実施の形態では、可動片１３の可動方向に対して垂直かつ筐体２の主平面部に対して平行方向の長さであって、突起１３ｂの長さが、接続部１３ａの長さの４０％以上６０％以下であるものとしたが、可動片１３の可動方向に対して垂直かつ筐体２の主平面部に対して平行方向の長さにおける突起１３ｂの長さは、接続部１３ａの長さの４０％以上６０％以下であるものに限定されるものでは無い。トレイ３を筐体２に挿入する際などに発生する衝撃荷重に起因して移動するリリースアーム１５のソレノイド１２の接続部１３ａに対する荷重をほぼ一点で受けることができる確率が飛躍的に向上させるためには、可動片１３の可動方向に対して垂直かつ筐体２の主平面部に対して平行方向の長さにおける突起１３ｂの長さは、接続部１３ａの長さの４０％以上６０％以下であることが好ましい。
【００５３】
（実施の形態２）
以下、本発明の実施の形態２について、図面を参照しながら説明する。
【００５４】
図１は、本発明の一実施の形態における光ディスク装置の外観斜視図である。図１において、１は光ディスク装置、２は筐体、２ａは上部筐体部、２ｂは下部筐体部、３はトレイ、４は光ピックアップモジュール、５はレール、６はレール保持部、７はスピンドルモータ、７ａはディスク装着部、８は金属製カバー、８ａは開口、９はキャリッジ、１０はベゼル、１１はイジェクトボタン、２０は光ピックアップである。図２は、本発明のイジェクトロック機構部を示した平面図であり、イジェクトロック機構は、図１に示す光ディスク装置１のイジェクトボタン１１の裏面方向に配置されている。図２において、１２はソレノイド、１３は可動片、１４はリセットアーム、１５はリリースアーム、１６はロックアーム、１７はイジェクトスプリング、１８はロックシャフトである。光ディスク装置全体の構成とイジェクトロック機構の構成は実施の形態１と同様である。
【００５５】
図５は、本発明の実施の形態２におけるイジェクトロック機構のラッチ型ソレノイドの平面図を示す。図５（ａ）は、ソレノイド１２のリセット状態であり、図１に示すトレイ３が筐体２に収納された状態である。また、図５（ｂ）は、ソレノイド１２の非リセット状態であり、図１に示すトレイ３が筐体２から引き出すことが可能になった状態である。図５において、１２はソレノイド、１２ａはヨーク１２ａはマグネット、１２ｃはボビン
、１２ｄはコイル、１２ｅは端子、１３は可動片、１３ａは接触部、１９は弾性部材である。
【００５６】
ラッチ型ソレノイドはヨーク１２ａ、マグネット１２ｂ、ボビン１２ｃ、コイル１２ｄで構成され、可動片１３、イジェクトスプリング１７と共に用いるのが一般的である。リセット状態においては、マグネット１２ｂから発生する磁力によりヨーク１２ａと可動片１３が吸着しており、使用者によりイジェクトボタン１１が押されるとイジェクトロック機構の端子１２ｅに電圧がかかり、ボビン１２ｃに巻線されたコイル１２ｄに電流が流れ、マグネット１２ｂから発生する磁力と相反する方向へ磁力が発生し、イジェクトスプリング１７の引張り荷重と合成され、可動片１３がヨーク１２ａから離脱し非リセット状態つまりトレイ３が筐体２から引き出し可能な状態に移行する。一度、非リセット状態になるとイジェクトロック機構の端子１２ｅに電圧をかけるのをやめても、マグネット１２ｂから発生する磁力だけでは可動片１３をヨーク１２ａまで引き寄せることができない。そのため、非リセット状態からリセット状態への移行は使用者がトレイ３を筐体２に収納する動作により行なわれる。
【００５７】
次に、本発明の実施の形態２の特徴部分について説明する。
【００５８】
図６は、本発明の実施の形態２におけるイジェクトロック機構のソレノイドに設けられた可動片を示す図であり、イジェクトロック機構のソレノイドに設けられた可動片が他部材との接続部を有し、接続部は少なくとも一つの弾性部材を設けたものである。図６において、１３は可動片、１３ａは接続部、１３ｃは壁面、１９は弾性部材である。ソレノイド１２の可動片１３は５×１０×２ｍｍ程度の略Ｕ字型の形状をしており、イジェクトスプリング１７が配置されている側の可動片１３の端面にリリースアーム１５などの別部材との接続部１３ａを有している。接続部１３ａは、２ｍｍ×１．５ｍｍ程度の長孔の貫通孔である。
【００５９】
ここで、イジェクトロック機構のソレノイド１２に設けられた可動片１３に他部材との接続部１３ａに少なくとも一つの弾性部材１９を設ける。
【００６０】
本実施の形態では、図６に示すように、弾性部材１９をイジェクトスプリング１７と対向する接続部１３ａの内側の壁面１３ｃの中央付近に設け、弾性部材１９の少なくとも一部が接続部１３ａに埋め込まれている構成とした。こうすることにより、トレイ３を筐体２に挿入する際などに発生する衝撃荷重が通常より大きな場合でも、衝撃荷重に起因して移動するリリースアーム１５のソレノイド１２の接続部１３ａへの荷重を安定して、しかも効率的に可動片１３の接続部１３ａの長径方向の中心付近でバランスよく受けることができるため、衝撃荷重に起因して移動するリリースアーム１５のソレノイド１２の接続部１３ａへの荷重に対する設計的な制御が容易となり、また、衝撃荷重に起因して移動するリリースアーム１５のソレノイド１２の接続部１３ａへの荷重を弾性部材１９により効果的に吸収軽減することができる。
【００６１】
また、本実施の形態では、弾性部材１９の形状を略方形柱形状とし、弾性部材１９が設けられる接続部１３ａは略楕円形状の貫通孔とし、弾性部材１９は、ネオプレン、シリコンなどの発泡性ゴム、ポリエチレン系、ウレタン系の樹脂、または、フェルト、エラストマー、ポリプロピレンなどの柔軟性材料を用いて形成する。こうすることにより、衝撃荷重に起因して移動するリリースアーム１５のソレノイド１２の接続部１３ａへの荷重を弾性部材１９により効果的に吸収軽減することができ、接続部１３ａの形状を容易に形成することができ、強度も十分確保することができる。
【００６２】
さらに、本実施の形態では、可動片１３の可動方向に対して垂直かつ筐体２の主平面部
に対して平行方向の長さであって、弾性部材１９の長さは、接続部１３ａの長さの４０％以上８０％以下であるものとした。弾性部材１９の長さとは図６に示すＤ寸法であり、接続部１３ａの長さとは図６に示すＣ寸法である。本実施の形態の場合は、Ｄ寸法を約１．２ｍｍとし、Ｃ寸法を約２ｍｍとした。こうすることにより、トレイ３を筐体２に挿入する際などに発生する衝撃荷重が通常より大きな場合でも、衝撃荷重に起因して移動するリリースアーム１５のソレノイド１２の接続部１３ａへの荷重を安定して、しかも効率的に可動片１３の接続部１３ａ長径方向の中心付近でバランスよく受けることができる確率を飛躍的に向上するため、衝撃荷重に起因して移動するリリースアーム１５のソレノイド１２の接続部１３ａへの荷重に対する設計的な制御が容易となる。
【００６３】
ここで、従来の光ディスク装置がリリースアーム１５に設けられたイジェクトスプリング１７の引張り荷重により発生するリリースアーム１５の反動である衝撃荷重により可動片１３とヨーク１２ａの吸着状態が解除され、ロックアーム１６とロックシャフト１８のロック状態が外れる場合のメカニズムについて図１０〜図１３を用いて説明する。
【００６４】
図１０は、従来の光ディスク装置のトレイが筐体に収納される時のイジェクトロック機構部の復帰動作を示す図であり、図１０（ａ）はソレノイド１２の可動片１３がリセット状態に復帰を開始する状態を示した図であり、図１０（ｂ）はソレノイド１２の可動片１３がリセット状態に復帰する途中の状態を示した図、図１１（ａ）はソレノイド１２の可動片１３がリセット状態になった状態を示した図、図１１（ｂ）はソレノイド１２の可動片１３がリセット状態にすることができなかった状態を示した図である。また、図１２は、従来の光ディスク装置のラッチ型ソレノイド可動片の接続部とリリースアームを示す図であり、図１２（ａ）はソレノイド１２における可動片１３とヨーク１２ａが吸着したにもかかわらずリリースアーム１５が更に移動した場合を示す図で、図１２（ｂ）はリリースアーム１５の反動がソレノイド１２の可動片１３に衝撃を与える様子を示す図である。図１３は、従来のイジェクトロック機構のソレノイドに設けられた可動片を示す図である。図１０〜図１３において、１２ａはヨーク１２ａはマグネット、１２ｃはボビン、１２ｄはコイル、１２ｅは端子、１３は可動片、１３ａは接続部、１３ｃは壁面、１４はリセットアーム、１５はリリースアーム、１６はロックアーム、１７はイジェクトスプリング、１８はロックシャフトである。
【００６５】
図１０、図１１において、トレイ３を筐体２に収納する動作を行う場合、トレイ３と筐体２とにクリアランスが１ｍｍ程度あるために、リセットアーム１４の回転中心とロックシャフト１８の中心間距離、すなわちＡ寸法がトレイ３の収納条件によって所定の寸法から大きくなったり小さくなったりする。Ａ寸法が大きくなった条件、すなわちリセットアーム１４がロックシャフト１８から離れる条件でトレイ３を収納する場合は、リセットアーム１４の回転角度が少なくなり、ヨーク１２ａと可動片１３の吸着完了後のオーバーストロークに対して最も良い条件となるが、Ａ寸法が小さくなった条件、すなわちリセットアーム１４がロックシャフト１８に近づく条件でトレイ３を収納する場合は、リセットアーム１４の回転角度が大きくなり、ヨーク１２ａと可動片１３の吸着完了後のオーバーストロークに対しては最も悪い条件となる。この最も悪い条件で発生した図１２（ａ）に示すオーバーストロークで、通常より大きな荷重がかかった場合、イジェクトスプリング１７の引張り荷重により発生するリリースアーム１５の反動が最大となり、図１２（ｂ）に示す可動片１３の接続部１３ａの先端部分に最大衝撃荷重として付加される。この場合、衝撃荷重により可動片１３とヨーク１２ａの吸着状態が解除され、ロックアーム１６とロックシャフト１８のロック状態が外れる場合がある。
【００６６】
また、同様に、最も悪い条件で生じたオーバーストロークにより発生したイジェクトスプリング１７の引張り荷重の反動とその反動が図１３に示すように可動片１３の接続部１３ａの中で片側に大きくずれた位置に付加された場合、イジェクトスプリング１７の引張
り荷重により発生するリリースアーム１５の反動が最大となり、ソレノイド１２が最大の吸着力を発揮する可動片１３の接続部１３ａ中央部から変位した部分に最大衝撃荷重として付加される。この場合も、衝撃荷重により可動片１３とヨーク１２ａの吸着状態が解除され、ロックアーム１６とロックシャフト１８のロック状態が外れる場合がある。
【００６７】
ところが、図６に示す本発明の実施の形態２では、ソレノイド１２の可動片１３の接続部１３ａに弾性部材１９を設けたことによって、イジェクトロック機構のソレノイド１２に設けられた可動片１３の接続部１３ａに弾性部材１９を設けることによって、使用者がトレイ３を筐体２に挿入する際にベゼル１０の右側端面のみを必要以上に強く押したり、すばやく押したりした場合などに発生する衝撃荷重が通常より大きな場合に起因して移動するリリースアーム１５のソレノイド１２の接続部１３ａへの荷重を吸収軽減することができる。そのため、衝撃荷重に起因して移動するリリースアーム１５のソレノイド１２の接続部１３ａへの荷重を軽減することができ、トレイと筐体を係合するロック機構の外れ防止に対する信頼性を高めた光ディスク装置を実現することができる。
【００６８】
なお、本実施の形態では、弾性部材１９をイジェクトスプリング１７と対向する接続部１３ａの内側の壁面１３ｃの中央付近に設け、弾性部材１９の少なくとも一部が接続部１３ａに埋め込まれている構成としたが、弾性部材１９の設けられる場所はイジェクトスプリング１７と対向する接続部１３ａの内側の壁面１３ｃの中央付近に限定されるものでは無く、また、弾性部材１９が接続部１３ａに埋め込まれている構成に限定されるものでは無い。トレイ３を筐体２に挿入する際などに発生する衝撃荷重が通常より大きな場合でも、衝撃荷重に起因して移動するリリースアーム１５のソレノイド１２の接続部１３ａへの荷重を安定して、しかも効率的に可動片１３の接続部１３ａの長径方向の中心付近でバランスよく受けとめ、さらに衝撃荷重に起因して移動するリリースアーム１５のソレノイド１２の接続部１３ａへの荷重に対する設計的な制御を容易にし、また、衝撃荷重に起因して移動するリリースアーム１５のソレノイド１２の接続部１３ａへの荷重を弾性部材１９により効果的に吸収軽減しようと思えば、弾性部材１９をイジェクトスプリング１７と対向する接続部１３ａの内側の壁面１３ｃの中央付近に設け、弾性部材１９の少なくとも一部が接続部１３ａに埋め込まれている構成とするのが好ましい。
【００６９】
また、本実施の形態では、弾性部材１９の形状を略方形柱形状とし、弾性部材１９が設けられる接続部１３ａは略楕円形状の貫通孔としたが、弾性部材１９の形状は略方形形状に限定されるものでは無く、また弾性部材１９が設けられる接続部１３ａは略楕円形状の貫通孔に限定されるものでは無い。衝撃荷重に起因して移動するリリースアーム１５のソレノイド１２の接続部１３ａへの荷重を弾性部材１９により効果的に吸収軽減することができ、接続部１３ａの形状を容易に形成することができ、強度も十分確保しようと思えば、弾性部材１９の形状は略方形柱形状とし、弾性部材１９が設けられる接続部１３ａは略楕円形状の貫通孔とするのが好ましい。
【００７０】
さらに、本実施の形態では、可動片１３の可動方向に対して垂直かつ筐体２の主平面部に対して平行方向の長さであって、弾性部材１９の長さは、接続部１３ａの長さの４０％以上８０％以下であるものとしたが、可動片１３の可動方向に対して垂直かつ筐体２の主平面部に対して平行方向の長さにおける弾性部材１９の長さは、接続部１３ａの長さの４０％以上８０％以下であるものに限定されるものでは無い。トレイ３を筐体２に挿入する際などに発生する衝撃荷重が通常より大きな場合でも、衝撃荷重に起因して移動するリリースアーム１５のソレノイド１２の接続部１３ａへの荷重を安定して、しかも効率的に可動片１３の接続部１３ａ長径方向の中心付近でバランスよく受けることができる確率を飛躍的に向上させるためには、可動片１３の可動方向に対して垂直かつ筐体２の主平面部に対して平行方向の長さにおける弾性部材１９の長さは、接続部１３ａの長さの４０％以上８０％以下であることが好ましい。
【００７１】
さらにまた、本実施の形態２は、本実施の形態１と共に用いることも可能である。その場合、突起１３ｂをネオプレン、シリコンなどの発泡性ゴム、ポリエチレン系、ウレタン系の樹脂、または、フェルト、エラストマー、ポリプロピレンなどの柔軟性材料を用いて形成することになる。
【産業上の利用可能性】
【００７２】
本発明は、トレイと筐体を係合するイジェクトロック機構の外れ防止に対する信頼性を高めた光ディスク装置を実現することができ、光ピックアップにより光ディスクに対して情報の記録又は再生の少なくとも一方を行なう光ディスク装置などに適応可能である。
【図面の簡単な説明】
【００７３】
【図１】本発明の一実施の形態における光ディスク装置の外観斜視図
【図２】本発明の一実施の形態におけるイジェクトロック機構部を示した平面図
【図３】本発明の実施の形態１におけるイジェクトロック機構のラッチ型ソレノイドの外観平面図
【図４】本発明の実施の形態１におけるイジェクトロック機構のソレノイドに設けられた可動片を示す図
【図５】本発明の実施の形態２におけるイジェクトロック機構のラッチ型ソレノイドの平面図
【図６】本発明の実施の形態２におけるイジェクトロック機構のソレノイドに設けられた可動片を示す図
【図７】従来の光ディスク装置の外観斜視図
【図８】従来のイジェクトロック機構部を示した平面図
【図９】従来のラッチ型ソレノイドの平面図
【図１０】従来のトレイが筐体に収納される時のイジェクトロック機構部の復帰動作を示す図
【図１１】従来のトレイが筐体に収納される時のイジェクトロック機構部の復帰動作を示す図
【図１２】従来の可動片の接続部とリリースアームを示す図
【図１３】従来のイジェクトロック機構のソレノイドに設けられた可動片を示す図
【符号の説明】
【００７４】
１    光ディスク装置
２    筐体
２ａ    上部筐体部
２ｂ    下部筐体部
３    トレイ
４    光ピックアップモジュール
５    レール
６    レール保持部
７    スピンドルモータ
８    金属製カバー
８ａ    開口
９    キャリッジ
１０    ベゼル
１１    イジェクトボタン
１２    ソレノイド
１２ａ    ヨーク
１２ｂ    マグネット
１２ｃ    ボビン
１２ｄ    コイル
１２ｅ    端子
１３    可動片
１３ａ    接続部
１３ｂ    突起
１３ｃ    壁面
１４    リセットアーム
１５    リリースアーム
１６    ロックアーム
１７    イジェクトスプリング
１８    ロックシャフト
１９    弾性部材
２０    光ピックアップ
【図１】
2006085800.tif 000003
【図２】
2006085800.tif 000004
【図３】
2006085800.tif 000005
【図４】
2006085800.tif 000006
【図５】
2006085800.tif 000007
【図６】
2006085800.tif 000008
【図７】
2006085800.tif 000009
【図８】
2006085800.tif 000010
【図９】
2006085800.tif 000011
【図１０】
2006085800.tif 000012
【図１１】
2006085800.tif 000013
【図１２】
2006085800.tif 000014
【図１３】
2006085800.tif 000015